(57)【要約】【課題】起動させたい無線装置の分布が非一様である場合でも、無駄なウェイクアップを抑制可能であり、かつ、ウェイクアップ信号を送信する無線装置から所望の位置に存在する場合にウェイクアップ可能な無線装置を提供する。【解決手段】無線基地局１〜ｎは、端末装置１０からウェイクアップ信号を受信すると、起動状態へ移行し、かつ端末装置１０と無線リンクを確立した回数を起動状態へ移行した回数で除算した有効ウェイクアップ確率とスリープ状態を維持した回数である維持回数とを求め、有効ウェイクアップ確率の平均値または維持回数が満たす条件によって第１の起動確率を増減させる。また、無線基地局１〜ｎは、ウェイクアップ信号の受信信号強度に基づいて第２の起動確率を求める。そして、無線基地局１〜ｎは、第１および第２の起動確率を重み付け平均した最終起動確率を用いて起動状態へ移行する。【選択図】図１
2014155057.tif 000002
【特許請求の範囲】
【請求項１】
スリープ状態にある無線装置を起動させるためのウェイクアップ信号を送信元の無線装置から受信する受信手段と、
前記受信手段が前記ウェイクアップ信号を受信したときの受信信号強度を検出する検出手段と、
当該無線装置が前記スリープ状態から起動状態へ移行した回数のうち、当該無線装置が前記スリープ状態から起動状態へ移行し、かつ当該無線装置が前記送信元の無線装置と無線リンクを確立した回数である有効ウェイクアップ回数の割合を示す有効ウェイクアップ確率の当該無線装置における平均値または当該無線装置と当該無線装置の周囲に存在する他の無線装置とにおける前記有効ウェイクアップ確率の平均値、および当該無線装置が前記スリープ状態を維持した回数である維持回数に基づいて決定された第１の起動確率と、前記受信信号強度に基づいて決定された第２の起動確率とを重み付け平均して最終起動確率を決定する決定手段と、
前記受信手段によって受信されたウェイクアップ信号が当該無線装置を前記スリープ状態から前記起動状態へ移行させることを示すか否かを判定する判定手段と、
前記判定手段によって前記ウェイクアップ信号が当該無線装置を前記スリープ状態から前記起動状態へ移行させることを示すと判定されると、前記最終起動確率で起動信号を生成する起動手段と、
前記起動手段によって生成された起動信号に応じて前記スリープ状態から前記起動状態へ移行する通信手段とを備え、
前記決定手段は、前記有効ウェイクアップ確率の平均値が第１のしきい値以下であるとき、確率値が小さくなるように前記第１の起動確率を決定し、前記維持回数が第２のしきい値以上であるとき、大きくなるように前記第１の起動確率を決定する、無線装置。
【請求項２】
前記決定手段は、当該無線装置における有効ウェイクアップ確率の平均値または前記維持回数に基づいて前記第１の起動確率を決定する、請求項１に記載の無線装置。
【請求項３】
前記決定手段は、前記有効ウェイクアップ確率の平均値が前記第１のしきい値以下であるとき、更新後の確率値が更新前の確率値よりも小さくなるように前記第１の起動確率を更新し、その更新した第１の起動確率と前記第２の起動確率とを重み付け平均して前記最終起動確率を決定する、請求項２に記載の無線装置。
【請求項４】
前記決定手段は、前記起動手段が前記最終起動確率に基づいて前記起動信号を生成せず、かつ、前記維持回数が前記第２のしきい値以上であるとき、更新後の確率値が更新前の確率値よりも大きくなるように前記第１の起動確率を更新し、その更新した第１の起動確率と前記第２の起動確率とを重み付け平均して前記最終起動確率を決定する、請求項２または請求項３に記載の無線装置。
【請求項５】
前記起動手段は、１よりも小さい乱数を発生し、その発生した乱数が前記最終起動確率以下であるとき、前記起動信号を生成して前記通信手段へ出力し、前記発生した乱数が前記最終起動確率よりも大きいとき、前記起動信号を生成しない、請求項１から請求項４のいずれか１項に記載の無線装置。
【請求項６】
前記決定手段は、前記受信信号強度に基づいて、前記送信元の無線装置から所望の距離に存在する当該無線装置において確率値が最大になるように前記第２の起動確率を決定する、請求項１から請求項５のいずれか１項に記載の無線装置。
【請求項７】
前記決定手段は、前記受信信号強度と、最終的な送信先の無線装置へデータを中継する無線装置と前記送信先の無線装置との近さの度合を示すメトリック値とに基づいて、前記送信元の無線装置からの距離が所望の距離になり、かつ、前記メトリック値が大きくなるほど当該無線装置において確率値が大きくなるように前記第２の起動確率を決定する、請求項１から請求項５のいずれか１項に記載の無線装置。
【請求項８】
各々が請求項１から請求項７のいずれか１項に記載の無線装置からなる複数の無線装置を備える無線通信システム。
【発明の詳細な説明】
【技術分野】
【０００１】
この発明は、無線装置およびこれを備える無線通信システムに関するものである。
【背景技術】
【０００２】
従来、端末装置から簡易な無線信号を送信することによって、スリープ状態である無線基地局を必要な時だけ起動させて利用する省電力無線システムが知られている（非特許文献１〜３）。
【先行技術文献】
【非特許文献】
【０００３】
【非特許文献１】伊藤哲也，近藤良久，阪田史郎，池永全志，四方博之，“無駄な消費電力量を削減するRadio-On-Demand Networks 概要，”  電子情報通信学会2011年総合大会 B-6-132．
【非特許文献２】近藤良久，四方博之，湯素華，田中利康，岩井優仁，筒井英夫，  小花貞夫，“無線LAN信号を用いた無線LANアクセスポイントのオンデマンド  ウェイクアップ方式,” 電子情報通信学会技術研究報告NS2010-185 (2011年3月)．
【非特許文献３】難波耕祐，四方博之，近藤良久，湯素華，“ウェイクアップ受信機を用いたRadio-On-Demand NetworksのためのID設計に関する一検討,”電子情報通信学会技術研究報告NS2010-187 (2011年3月)．
【発明の概要】
【発明が解決しようとする課題】
【０００４】
しかし、同じネットワーク識別子（ＥＳＳＩＤ：Ｅｘｔｅｎｄｅｄ  Ｓｅｒｖｉｃｅ  Ｓｅｔ  Ｉｄｅｎｔｉｆｉｅｒ）が複数の無線基地局に割り当てられているネットワーク構成においては、単一の端末装置からのウェイクアップ要求にも拘わらず、複数の無線基地局が同時に起動する。
【０００５】
このような場合、ウェイクアップ信号を送信する端末装置の周囲に存在する無線基地局の密度を計測し、その計測した無線基地局の密度を用いてウェイクアップさせる確率であるウェイクアップ確率を求め、その求めたウェイクアップ確率に基づいて無線基地局をウェイクアップさせることによって、同時に起動する無線基地局の個数を抑制することが想定される。
【０００６】
しかし、このような方法では、ウェイクアップ信号を送信する端末装置の周囲に存在する無線基地局の分布が非一様である場合、各無線基地局が所有している密度情報とウェイクアップ信号を送信する端末装置の周囲に存在する無線基地局の実際の密度とが一致せず、無駄にウェイクアップする回数またはウェイクアップ信号の再送回数が増えるという問題がある。
【０００７】
また、従来技術においては、ウェイクアップ信号の受信信号強度を考慮して無線基地局をウェイクアップさせていないため、ウェイクアップ信号を送信する端末装置から所望の位置に存在する無線基地局をウェイクアップさせることが困難であるという問題がある。
【０００８】
そこで、この発明は、かかる問題を解決するためになされたものであり、その目的は、起動させたい無線装置の分布が非一様である場合でも、無駄なウェイクアップを抑制可能であり、かつ、ウェイクアップ信号を送信する無線装置から所望の位置に存在する場合にウェイクアップ可能な無線装置を提供することである。
【０００９】
また、この発明の別の目的は、起動させたい無線装置の分布が非一様である場合でも、無駄なウェイクアップを抑制可能であり、かつ、ウェイクアップ信号を送信する無線装置から所望の位置に存在する場合にウェイクアップ可能な無線通信システムを提供することである。
【課題を解決するための手段】
【００１０】
この発明の実施の形態によれば、無線装置は、受信手段と、検出手段と、決定手段と、判定手段と、起動手段と、通信手段とを備える。受信手段は、スリープ状態にある無線装置を起動させるためのウェイクアップ信号を送信元の無線装置から受信する。検出手段は、受信手段がウェイクアップ信号を受信したときの受信信号強度を検出する。決定手段は、当該無線装置がスリープ状態から起動状態へ移行した回数のうち、当該無線装置がスリープ状態から起動状態へ移行し、かつ当該無線装置が送信元の無線装置と無線リンクを確立した回数である有効ウェイクアップ回数の割合を示す有効ウェイクアップ確率の当該無線装置における平均値または当該無線装置と当該無線装置の周囲に存在する他の無線装置とにおける有効ウェイクアップ確率の平均値、および当該無線装置がスリープ状態を維持した回数である維持回数に基づいて決定された第１の起動確率と、受信信号強度に基づいて決定された第２の起動確率とを重み付け平均して最終起動確率を決定する。判定手段は、受信手段によって受信されたウェイクアップ信号が当該無線装置をスリープ状態から起動状態へ移行させることを示すか否かを判定する。起動手段は、判定手段によってウェイクアップ信号が当該無線装置をスリープ状態から起動状態へ移行させることを示すと判定されると、最終起動確率で起動信号を生成する。通信手段は、起動手段によって生成された起動信号に応じてスリープ状態から起動状態へ移行する。そして、決定手段は、有効ウェイクアップ確率の平均値が第１のしきい値以下であるとき、確率値が小さくなるように第１の起動確率を決定し、維持回数が第２のしきい値以上であるとき、大きくなるように第１の起動確率を決定する。
【００１１】
また、この発明の実施の形態による無線通信システムは、複数の無線装置を備える。複数の無線装置の各々は、請求項１から請求項７のいずれか１項に記載の無線装置からなる。
【発明の効果】
【００１２】
この発明の実施の形態による無線装置においては、第１の起動確率は、有効ウェイクアップ確率の平均値またはスリープ状態の維持回数が満たす条件によって、増加または減少する。第２の起動確率は、ウェイクアップ信号の受信信号強度に基づいて決定される。その結果、複数の無線装置において最終起動確率が同じになる可能性が低くなり、複数の無線装置が同時にウェイクアップする可能性が低くなる。また、受信信号強度に基づいて第２の起動確率を決定すれば、所望の位置に存在する無線装置がウェイクアップする可能性が高くなる。
【００１３】
従って、起動させたい無線装置の分布が非一様である場合でも、無駄なウェイクアップを抑制できるとともに、所望の位置に存在する無線装置をウェイクアップさせることができる。
【図面の簡単な説明】
【００１４】
【図１】この発明の実施の形態による無線通信システムの概略図である。
【図２】図１に示す無線基地局の構成を示す構成図である。
【図３】図１に示す端末装置の構成図である。
【図４】図２に示す信号生成器の機能ブロック図である。
【図５】ログテーブルの概念図である。
【図６】対応表ＴＢＬ１の例を示す図である。
【図７】対応表ＴＢＬ２の例を示す図である。
【図８】対応表ＴＢＬ３の例を示す図である。
【図９】スリープ状態であるときの無線基地局の動作を説明するためのフローチャートである。
【図１０】起動確率ＺＲＩと受信信号強度ＲＳＳＩ＿ＷＫＥとの関係を示す図である。
【図１１】起動確率ＺＥＷと有効ウェイクアップ確率の平均値Ｐａｖｒとの関係を示す図である。
【図１２】式（３）におけるｆ（ＮＳＬＰ）と維持回数ＮＳＬＰとの関係を示す図である。
【図１３】センサーネットワークの構成を示す図である。
【発明を実施するための形態】
【００１５】
本発明の実施の形態について図面を参照しながら詳細に説明する。なお、図中同一または相当部分には同一符号を付してその説明は繰返さない。
【００１６】
図１は、この発明の実施の形態による無線通信システムの概略図である。図１を参照して、この発明の実施の形態による無線通信システム１００は、無線基地局１〜ｎ（ｎは２以上の整数）と、端末装置１０とを備える。
【００１７】
無線基地局１〜ｎの各々は、端末装置１０と無線通信（＝データの送受信）を行う起動状態と、端末装置１０と無線通信（＝データの送受信）を行うことができないスリープ状態とを有する。また、この発明の実施の形態においては、無線基地局１〜ｎのうち、複数の無線基地局は、同じＥＳＳＩＤが割り当てられており、無線基地局１〜ｎのうち、別の複数の無線基地局は、別の同じＥＳＳＩＤが割り当てられていてもよい。即ち、無線基地局１〜ｎは、同一のネットワーク識別子（ＥＳＳＩＤ）が割り当てられた複数の無線基地局のグループを少なくとも２つ含んでいてもよい。
【００１８】
無線基地局１〜ｎは、周期的にスリープ状態から起動状態へ移行し、ウェイクアップに関する履歴情報であるログ情報を相互に交換する。そして、周期は、例えば、１日に設定される。
【００１９】
また、無線基地局１〜ｎの各々は、スリープ状態から起動状態へ移行する毎に、隣接する無線基地局とログ情報を交換する。長時間が経過すると、起動状態へ移行するタイミングがいずれかの無線基地局と合う確率が高くなり、ログ情報の交換が可能になる。
【００２０】
なお、ログ情報の詳細については、後述する。
【００２１】
無線基地局１〜ｎの各々は、スリープ状態にあるときに、後述する方法によって起動確率Ｚを求める。そして、無線基地局１〜ｎの各々は、無線基地局を起動させるためのウェイクアップ信号ＷＫＥを端末装置１０から受信すると、起動確率Ｚに基づいてスリープ状態から起動状態へ移行する。その後、無線基地局１〜ｎの各々は、起動状態へ移行すると、端末装置１０を管理するためのビーコンフレームＢｅａｃｏｎ（＝管理フレーム）を定期的に送信し、端末装置１０との間で無線リンクを確立する。そうすると、無線基地局１〜ｎの各々は、例えば、２．４５ＧＨｚ帯で端末装置１０と無線通信を行う。
【００２２】
端末装置１０は、ウェイクアップ信号ＷＫＥを生成してブロードキャストする。そして、端末装置１０は、後述する方法によって、無線基地局１〜ｎのいずれかと無線リンクを確立し、２．４５ＧＨｚ帯で無線通信を行う。
【００２３】
図２は、図１に示す無線基地局１の構成を示す構成図である。図２を参照して、無線基地局１は、アンテナ１１，１２と、ウェイクアップ装置１３と、メイン装置１４と、電源１５とを含む。
【００２４】
アンテナ１１は、ウェイクアップ装置１３に接続される。アンテナ１２は、メイン装置１４に接続される。
【００２５】
ウェイクアップ装置１３は、例えば、１００μＷの電力を電源１５から受け、その受けた電力によって駆動される。また、ウェイクアップ装置１３は、メイン装置１４から無線基地局１のＩＤを受けて保持している。そして、ウェイクアップ装置１３は、アンテナ１１を介して端末装置１０からウェイクアップ信号ＷＫＥをチャネルＸで受信すると、ウェイクアップ信号ＷＫＥを受信したときの受信信号強度ＲＳＳＩ＿ＷＫＥを検出するとともに、ウェイクアップ信号ＷＫＥに含まれるウェイクアップＩＤが無線基地局１のＩＤに一致するか否かを判定する。また、ウェイクアップ装置１３は、後述する方法によって起動確率Ｚを求める。そうすると、ウェイクアップ装置１３は、ウェイクアップ信号ＷＫＥに含まれるウェイクアップＩＤが無線基地局１のＩＤに一致すると判定したとき、乱数ｒを発生し、その発生した乱数ｒが起動確率Ｚ以下であるとき起動信号を生成し、その生成した起動信号をメイン装置１４へ出力する。
【００２６】
一方、ウェイクアップ装置１３は、ウェイクアップＩＤが無線基地局１のＩＤに一致しないとき、または乱数ｒが起動確率Ｚよりも大きいときウェイクアップ信号ＷＫＥを破棄する。そして、ウェイクアップ装置１３は、ウェイクアップ信号ＷＫＥの受信を待つ状態になる。
【００２７】
なお、ウェイクアップ装置１３は、ウェイクアップ信号ＷＫＥ等のパケットを受信する機能のみを有し、パケットを送信する機能を有しない。また、チャネルＸは、２．４５ＧＨｚ帯の１つの周波数に設定され、固定されたチャネルである。
【００２８】
メイン装置１４は、例えば、７Ｗの電力を電源１５から受け、その受けた電力によって駆動される。また、メイン装置１４は、無線基地局１のＩＤをウェイクアップ装置１３へ出力する。
【００２９】
メイン装置１４は、スリープ状態にあるときに、ウェイクアップ装置１３から起動信号を受けると、スリープ状態から起動状態へ移行する。そして、メイン装置１４は、無線基地局１が起動したことを示すウェイクアップ通知ＷＮ（Ｗａｋｅ−ｕｐ  Ｎｏｔｉｆｉｃａｔｉｏｎ）を生成し、その生成したウェイクアップ通知ＷＮをアンテナ１２を介してチャネルＸで端末装置１０へ送信する。その後、メイン装置１４は、ウェイクアップ通知ＷＮに対する応答であるウェイクアップ通知応答ＲＷＮ（Ｒｅｐｌｙ  ｔｏ  ＷＮ）をアンテナ１２を介してチャネルＸで端末装置１０から受信すると、チャネルＹで端末装置１０との間でアソシエーションを行い、端末装置１０との間で無線リンクを確立する。そうすると、メイン装置１４は、端末装置１０との間で無線リンクを確立したことを示すリンク確立信号ＬＥＳをウェイクアップ装置１３へ出力するとともに、端末装置１０とチャネルＹで無線通信を行う。また、メイン装置１４は、有線ケーブル（図示せず）を介して他の通信装置と通信を行う。
【００３０】
更に、メイン装置１４は、起動状態であるときに、ウェイクアップ装置１３から起動信号を受けると、無線基地局１が起動中であることを示すアクティブ通知ＡＮ（Ａｃｔｉｖｅ  Ｎｏｔｉｆｉｃａｔｉｏｎ）を生成し、その生成したアクティブ通知ＡＮをアンテナ１２を介してチャネルＸで端末装置１０へ送信する。そして、メイン装置１４は、チャネルＹで端末装置１０との間でＩＥＥＥ８０２．１１のアソシエーションを行い、端末装置１０との間で無線リンクを確立する。そうすると、メイン装置１４は、チャネルＹで端末装置１０と無線通信を行う。
【００３１】
なお、メイン装置１４は、起動状態にあるときに起動信号を受け、端末装置１０との間で無線リンクを確立した場合、リンク確立信号ＬＥＳをウェイクアップ装置１３へ出力しない。
【００３２】
電源１５は、１００μＷの電力をウェイクアップ装置１３へ供給し、７Ｗの電力をメイン装置１４へ供給する。
【００３３】
ウェイクアップ装置１３は、ウェイクアップ信号受信器１３１と、ウェイクアップ判定器１３２と、信号生成器１３３とを含む。メイン装置１４は、無線通信モジュール１４１と、有線通信モジュール１４２と、ホストシステム１４３とを含む。
【００３４】
ウェイクアップ信号受信器１３１は、パケットを受信する機能のみを有し、パケットを送信する機能を有しない。
【００３５】
ウェイクアップ信号受信器１３１は、チャネルＸを有する。そして、ウェイクアップ信号受信器１３１は、チャネルＸでウェイクアップ信号ＷＫＥを待ち受ける。
【００３６】
ウェイクアップ信号受信器１３１は、ウェイクアップ信号ＷＫＥをアンテナ１１を介して受信すると、ウェイクアップ信号ＷＫＥを受信したときの受信信号強度ＲＳＳＩ＿ＷＫＥを検出し、その検出した受信信号強度ＲＳＳＩ＿ＷＫＥを信号生成器１３３へ出力する。また、ウェイクアップ信号受信器１３１は、受信したウェイクアップ信号ＷＫＥを復調し、その復調したウェイクアップ信号ＷＫＥをウェイクアップ判定器１３２へ出力する。
【００３７】
ウェイクアップ判定器１３２は、無線基地局１のＩＤをホストシステム１４３から受けて保持している。ウェイクアップ判定器１３２は、復調されたウェイクアップ信号ＷＫＥをウェイクアップ信号受信器１３１から受ける。そして、ウェイクアップ判定器１３２は、その受けたウェイクアップ信号ＷＫＥに含まれるウェイクアップＩＤを抽出する。
【００３８】
そうすると、ウェイクアップ判定器１３２は、ウェイクアップＩＤが無線基地局１のＩＤに一致するか否かを判定する。ウェイクアップ判定器１３２は、ウェイクアップＩＤが無線基地局１のＩＤに一致すると判定したとき、一致信号ＭＴＣＨを生成して信号生成器１３３へ出力する。また、ウェイクアップ判定器１３２は、ウェイクアップＩＤが無線基地局１ＡのＩＤに一致しないと判定したとき、信号生成器１３３へ何も出力しない。この場合、ウェイクアップ判定器１３２は、ウェイクアップ信号ＷＫＥを破棄する。
【００３９】
信号生成器１３３は、係数ｗＥＷ，ｗＲＩを予め保持している。信号生成器１３３は、ウェイクアップ信号受信器１３１から受信信号強度ＲＳＳＩ＿ＷＫＥを受け、ウェイクアップ判定器１３２から一致信号ＭＴＣＨを受け、ホストシステム１４３からリンク確立信号ＬＥＳを受ける。
【００４０】
そして、信号生成器１３３は、一致信号ＭＴＣＨを受けると、受信信号強度ＲＳＳＩ＿ＷＫＥに基づいて、後述する方法によって起動確率ＺＲＩを求めるとともに、後述する方法によって、一定期間Ｔｒｅｎｅｗ（例えば、１日）における有効ウェイクアップ確率の平均値に基づいて起動確率ＺＥＷを求める。そうすると、信号生成器１３３は、起動確率ＺＲＩ，ＺＥＷおよび係数ｗＥＷ，ｗＲＩを次式に代入して起動確率Ｚを算出する。
【００４１】
【数１】
2014155057.tif 000003
【００４２】
式（１）において、係数ｗＥＷ，ｗＲＩの各々は、ｗＥＷ＋ｗＲＩ＝１を満たすように、０〜１．０の間の任意の値からなる。
【００４３】
なお、有効ウェイクアップ確率および有効ウェイクアップ確率の平均値については、後述する。
【００４４】
信号生成器１３３は、起動確率Ｚを算出すると、内蔵した乱数発生器によって乱数ｒを発生し、その発生した乱数ｒを起動確率Ｚと比較する。
【００４５】
そして、信号生成器１３３は、乱数ｒが起動確率Ｚ以下であるとき、起動信号を生成し、その生成した起動信号をホストシステム１４３へ出力する。
【００４６】
一方、信号生成器１３３は、乱数ｒが起動確率Ｚよりも大きいとき、起動信号を生成しない。この場合、メイン装置１４は、起動状態へ移行せずにスリープ状態を維持するので、信号生成器１３３は、メイン装置１４がスリープ状態を維持した維持回数ＮＳＬＰを一定期間ＴＷＤ内においてカウントし、そのカウントした維持回数ＮＳＬＰを保持する。一定期間ＴＷＤは、例えば、１分に設定される。
【００４７】
信号生成器１３３は、メイン装置１４が起動状態にあるときに、メイン装置１４が無線基地局１の周囲に存在する無線基地局から受信したログ情報をホストシステム１４３から受け、その受けたログ情報を保持する。
【００４８】
無線通信モジュール１４１は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態は、無線通信モジュール１４１が動作を停止した状態である。
【００４９】
無線通信モジュール１４１は、スリープ状態から起動状態へ移行し、かつ、ウェイクアップ通知ＷＮをホストシステム１４３から受けると、その受けたウェイクアップ通知ＷＮを無線ＬＡＮの通信方式によって変調してチャネルＸで端末装置１０へ送信する。
【００５０】
その後、無線通信モジュール１４１は、ウェイクアップ通知応答ＲＷＮをアンテナ１２を介して端末装置１０からチャネルＸで受信し、その受信したウェイクアップ通知応答ＲＷＮをホストシステム１４３へ出力する。そして、無線通信モジュール１４１は、端末装置１０との間でアソシエーションを行う指示をホストシステム１４３から受けると、チャネルＹで端末装置１０との間でＩＥＥＥ８０２．１１のアソシエーションを行い、端末装置１０との間で無線リンクを確立する。そうすると、無線通信モジュール１４１は、ホストシステム１４３から受けたデータを含むパケットを生成し、その生成したパケットをチャネルＹで端末装置１０へ送信する。なお、チャネルＹは、メイン装置１４がスリープ状態へ移行する前に決定されており、２．４５ＧＨｚ帯において任意に決定された１つの周波数を有する周波数チャネルからなる。そして、チャネルＹは、２．４５ＧＨｚ帯において任意の１つの周波数チャネルに決定されるので、チャネルＸと同一になる場合もあれば、チャネルＸと異なる場合もある。
【００５１】
また、無線通信モジュール１４１は、アクティブ通知ＡＮをホストシステム１４３から受けると、その受けたアクティブ通知ＡＮを無線ＬＡＮの通信方式によって変調してチャネルＸで端末装置１０へ送信する。
【００５２】
そして、無線通信モジュール１４１は、端末装置１０との間でアソシエーションを行う指示をホストシステム１４３から受けると、端末装置１０との間でチャネルＹでＩＥＥＥ８０２．１１のアソシエーションを行い、端末装置１０との間で無線リンクを確立する。そうすると、無線通信モジュール１４１は、ホストシステム１４３から受けたデータを含むパケットを生成し、その生成したパケットをチャネルＹで端末装置１０へ送信する。
【００５３】
更に、無線通信モジュール１４１は、アンテナ１２を介してチャネルＹで端末装置１０からパケットを受信すると、その受信したパケットからデータを取り出してホストシステム１４３へ出力する。
【００５４】
更に、無線通信モジュール１４１は、無線基地局１の周囲に存在する他の無線基地局からビーコンフレームＢｅａｃｏｎを受信し、ビーコンフレームＢｅａｃｏｎを受信したときの受信信号強度ＲＳＳＩ＿Ｂｅａｃｏｎを検出する。そして、無線通信モジュール１４１は、ビーコンフレームＢｅａｃｏｎおよび受信信号強度ＲＳＳＩ＿Ｂｅａｃｏｎをホストシステム１４３へ出力する。
【００５５】
有線通信モジュール１４２は、有線ケーブル（図示せず）を介して他の通信装置からデータを受信し、その受信したデータをホストシステム１４３へ出力する。
【００５６】
また、有線通信モジュール１４２は、ホストシステム１４３からデータを受け、その受けたデータを有線ケーブル（図示せず）を介して他の通信装置へ送信する。
【００５７】
更に、有線通信モジュール１４２は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態は、有線通信モジュール１４２が動作を停止した状態である。
【００５８】
ホストシステム１４３は、無線基地局１のＩＤを予め保持しており、起動状態であるときに、その保持している無線基地局１のＩＤをウェイクアップ判定器１３２へ出力する。
【００５９】
また、ホストシステム１４３は、起動状態であるときに、無線通信モジュール１４１が端末装置１０と無線リンクを確立すると、リンク確立信号ＬＥＳを信号生成器１３３へ出力する。
【００６０】
更に、ホストシステム１４３は、起動状態であるときに、受信信号強度ＲＳＳＩ＿ＢｅａｃｏｎおよびビーコンフレームＢｅａｃｏｎを無線通信モジュール１４１から受けると、他の無線基地局におけるログ情報ＬＯＧをビーコンフレームＢｅａｃｏｎから抽出し、その抽出したログ情報ＬＯＧと、受信信号強度ＲＳＳＩ＿Ｂｅａｃｏｎとを信号生成器１３３へ出力する。
【００６１】
更に、ホストシステム１４３は、スリープ状態へ移行する前に端末装置１０との間でデータを送受信するために使用していたチャネルＹを保持している。
【００６２】
更に、ホストシステム１４３は、スリープ状態であるときに信号生成器１３３から起動信号を受けると、スリープ状態から起動状態へ移行する。そして、ホストシステム１４３は、コマンド信号ＣＯＭ２を生成して無線通信モジュール１４１および有線通信モジュール１４２へ出力する。その後、ホストシステム１４３は、チャネルＹと無線基地局１のアドレスとを含むウェイクアップ通知ＷＮを生成し、その生成したウェイクアップ通知ＷＮを無線通信モジュール１４１へ出力する。
【００６３】
ホストシステム１４３は、ウェイクアップ通知ＷＮを無線通信モジュール１４１へ出力した後、一定期間、ウェイクアップ通知応答ＲＷＮを無線通信モジュール１４１から受けないとき、コマンド信号ＣＯＭ１を無線通信モジュール１４１および有線通信モジュール１４２へ出力し、その後、起動状態からスリープ状態へ移行する。
【００６４】
一方、ホストシステム１４３は、ウェイクアップ通知ＷＮを無線通信モジュール１４１へ出力した後、一定期間内に、ウェイクアップ通知応答ＲＷＮを無線通信モジュール１４１から受けると、ウェイクアップ通知応答ＲＷＮを送信した端末装置１０との間でアソシエーションを行う指示を無線通信モジュール１４１へ出力する。
【００６５】
更に、ホストシステム１４３は、起動状態であるときに、信号生成器１３３から起動信号を受けると、チャネルＹと無線基地局１のアドレスとを含むアクティブ通知ＡＮを生成し、その生成したアクティブ通知ＡＮを無線通信モジュール１４１へ出力する。そして、ホストシステム１４３は、端末装置１０との間でアソシエーションを行う指示を無線通信モジュール１４１へ出力する。
【００６６】
更に、ホストシステム１４３は、無線通信モジュール１４１からデータを受けると、その受けたデータを有線通信モジュール１４２へ出力する。
【００６７】
更に、ホストシステム１４３は、有線通信モジュール１４２からデータを受けると、その受けたデータを無線通信モジュール１４１へ出力する。
【００６８】
更に、ホストシステム１４３は、無線基地局１の通信範囲内に存在する端末装置を管理する。
【００６９】
なお、図１に示す無線基地局２〜ｎの各々も、図２に示す無線基地局１と同じ構成からなる。
【００７０】
図３は、図１に示す端末装置１０の構成図である。図３を参照して、端末装置１０は、アンテナ２１と、無線通信モジュール２２と、ホストシステム２３とを含む。
【００７１】
無線通信モジュール２２は、ウェイクアップ信号ＷＫＥをブロードキャストするためのチャネルＸが予め設定されている。
【００７２】
無線通信モジュール２２は、ウェイクアップ信号ＷＫＥをホストシステム２３から受け、その受けたウェイクアップ信号ＷＫＥをオンオフキーイングの変調方式によって変調し、その変調したウェイクアップ信号ＷＫＥをアンテナ２１を介してチャネルＸでブロードキャストする。
【００７３】
このオンオフキーイングの変調方式は、伝送レートが数十ｋｂｐｓ〜数百ｋｂｐｓである変調方式であり、通常の無線ＬＡＮに用いられる変調方式よりも伝送レートが低い。このように伝送レートが低い変調方式によってウェイクアップ信号ＷＫＥを変調するのは、１００μＷという非常に低い電力で動作するウェイクアップ装置１３によってウェイクアップ信号ＷＫＥを復調できるようにするためである。
【００７４】
無線通信モジュール２２は、ウェイクアップ信号ＷＫＥをブロードキャストした後、接続先の無線基地局ＣＮ（＝無線基地局１〜ｎのいずれか）からアンテナ２１を介してウェイクアップ通知ＷＮをチャネルＸで受信し、その受信したウェイクアップ通知ＷＮをホストシステム２３へ出力する。
【００７５】
また、無線通信モジュール２２は、ホストシステム２３からウェイクアップ通知応答ＲＷＮを受けると、その受けたウェイクアップ通知応答ＲＷＮを無線ＬＡＮの変調方式によって変調し、その変調したウェイクアップ通知応答ＲＷＮをチャネルＸでアンテナ２１を介して無線基地局ＣＮへ送信する。その後、無線通信モジュール２２は、無線基地局ＣＮとの間でデータを送受信するためのチャネルＹをホストシステム２３から受けると、アンテナ２１を介してチャネルＹでビーコンフレームＢｅａｃｏｎを無線基地局ＣＮから受信する。そして、無線通信モジュール２２は、ホストシステム２３からの指示に従ってチャネルＹで無線基地局ＣＮとの間でＩＥＥＥ８０２．１１のアソシエーションを行い、無線基地局ＣＮとの間で無線リンクを確立する。
【００７６】
更に、無線通信モジュール２２は、アンテナ２１を介して無線基地局ＣＮからアクティブ通知ＡＮをチャネルＸで受信し、その受信したアクティブ通知ＡＮをホストシステム２３へ出力する。そして、無線通信モジュール２２は、チャネルＹをホストシステム２３から受けると、ホストシステム２３からの指示に従ってチャネルＹで無線基地局ＣＮとの間でＩＥＥＥ８０２．１１のアソシエーションを行い、無線基地局ＣＮとの間で無線リンクを確立する。
【００７７】
無線通信モジュール２２は、無線基地局ＣＮとの間で無線リンクを確立すると、無線基地局ＣＮとチャネルＹで無線通信を行う。より具体的には、無線通信モジュール２２は、アンテナ２１を介して無線基地局ＣＮからパケットをチャネルＹで受信し、その受信したパケットを復調してデータを取り出し、その取り出したデータをホストシステム２３へ出力する。また、無線通信モジュール２２は、ホストシステム２３からデータを受け、その受けたデータを含むパケットを生成し、その生成したパケットを無線ＬＡＮによる変調方式によって変調し、その変調したパケットをチャネルＹでアンテナ２１を介して無線基地局ＣＮへ送信する。
【００７８】
ホストシステム２３は、ウェイクアップ信号生成器２３１を含む。ウェイクアップ信号生成器２３１は、コマンド信号ＣＯＭ３およびＥＳＳＩＤ（またはＢＳＳＩＤ）をホストシステム２３から受けると、ＥＳＳＩＤ、ＢＳＳＩＤおよびそれらのハッシュ値のいずれかからなるウェイクアップＩＤを生成し、その生成したウェイクアップＩＤを含むウェイクアップ信号ＷＫＥを生成する。なお、ウェイクアップＩＤは、端末装置１０が起動させる無線基地局を示す情報である。
【００７９】
そして、ウェイクアップ信号生成器２３１は、その生成したウェイクアップ信号ＷＫＥを無線通信モジュール２２へ出力する。
【００８０】
ホストシステム２３は、無線通信モジュール２２がアンテナ２１を介して受信したビーコンフレームＢｅａｃｏｎを無線通信モジュール２２から受ける。そして、ホストシステム２３は、その受けたビーコンフレームＢｅａｃｏｎに含まれるＥＳＳＩＤまたはＢＳＳＩＤを取り出して管理するとともに、ＥＳＳＩＤまたはＢＳＳＩＤに基づいて、端末装置１０が帰属する無線基地局ＣＮを管理する。
【００８１】
また、ホストシステム２３は、無線基地局ＣＮからビーコンフレームＢｅａｃｏｎを受信しないとき、無線基地局ＣＮがスリープ状態であると判定し、コマンド信号ＣＯＭ３およびＥＳＳＩＤ（またはＢＳＳＩＤ）をウェイクアップ信号生成器２３１へ出力する。
【００８２】
更に、ホストシステム２３は、ウェイクアップ通知ＷＮを無線通信モジュール２２から受けると、ウェイクアップ通知ＷＮからチャネルＹを取り出し、その取り出したチャネルＹを無線通信モジュール２２へ出力する。そして、ホストシステム２３は、ウェイクアップ通知ＷＮに対する応答であるウェイクアップ通知応答ＲＷＮを生成して無線通信モジュール２２へ出力する。このウェイクアップ通知応答ＲＷＮは、無線基地局ＣＮのアドレスと、端末装置１０のアドレスとを含む。その後、ホストシステム２３は、無線基地局ＣＮとの間でアソシエーションを行うための指示を無線通信モジュール２２へ出力する。
【００８３】
更に、ホストシステム２３は、アクティブ通知ＡＮを無線通信モジュール２２から受けると、アクティブ通知ＡＮからチャネルＹを取り出し、その取り出したチャネルＹを無線通信モジュール２２へ出力する。そして、ホストシステム２３は、無線基地局ＣＮとの間でアソシエーションを行うための指示を無線通信モジュール２２へ出力する。
【００８４】
更に、ホストシステム２３は、無線通信モジュール２２からデータを受けるとともに、データを生成して無線通信モジュール２２へ出力する。
【００８５】
図４は、図２に示す信号生成器１３３の機能ブロック図である。図４を参照して、信号生成器１３３は、制御手段１３３１と、記憶手段１３３２とを含む。
【００８６】
制御手段１３３１は、受信信号強度ＲＳＳＩ＿ＷＫＥをウェイクアップ信号受信器１３１から受け、一致信号ＭＴＣＨをウェイクアップ判定器１３２から受け、受信信号強度ＲＳＳＩ＿Ｂｅａｃｏｎ、ログ情報ＬＯＧおよびリンク確立信号ＬＥＳをホストシステム１４３から受ける。
【００８７】
制御手段１３３１は、受信信号強度ＲＳＳＩ＿ＷＫＥを受けると、受信信号強度と起動確率ＺＲＩとの対応関係を示す対応表ＴＢＬ１を記憶手段１３３２から読み出し、その読み出した対応表ＴＢＬ１を参照して、その受けた受信信号強度ＲＳＳＩ＿ＷＫＥに対応する値を検出し、その検出した値を起動確率ＺＲＩとして決定する。
【００８８】
また、制御手段１３３１は、起動信号ＤＲＶをホストシステム１４３へ出力した回数ＮＤＲＶと、リンク確立信号ＬＥＳをホストシステム１４３から受けた回数ＮＬＥＳとをカウントする。
【００８９】
この発明の実施の形態においては、有効ウェイクアップ回数ＥＷ、無効ウェイクアップ回数ＩＷおよび有効ウェイクアップ確率ＰＥＷという概念を導入する。
【００９０】
有効ウェイクアップ回数ＥＷは、メイン装置１４がスリープ状態から起動状態へ移行し、かつ、メイン装置１４が端末装置１０と無線リンクを確立した回数であると定義される。
【００９１】
また、無効ウェイクアップ回数ＩＷは、メイン装置１４がスリープ状態から起動状態へ移行したが、メイン装置１４が端末装置１０と無線リンクを確立しなかった回数であると定義される。
【００９２】
更に、有効ウェイクアップ確率ＰＥＷは、（有効ウェイクアップ回数）／（有効ウェイクアップ回数＋無効ウェイクアップ回数）＝ＥＷ／（ＩＷ＋ＥＷ）＝ＮＬＥＳ／ＮＤＲＶであると定義される。
【００９３】
リンク確立信号ＬＥＳは、メイン装置１４がスリープ状態から起動状態へ移行し、かつ、メイン装置１４が端末装置１０と無線リンクを確立した後に信号生成器１３３へ出力されるので、回数ＮＬＥＳは、有効ウェイクアップ回数ＥＷに等しい。
【００９４】
従って、制御手段１３３１は、回数ＮＬＥＳをカウントすると、そのカウントした回数ＮＬＥＳを有効ウェイクアップ回数ＥＷとする。
【００９５】
また、無効ウェイクアップ回数ＩＷは、メイン装置１４がスリープ状態から起動状態へ移行した回数のうち、メイン装置１４が端末装置１０と無線リンクを確立しなかった回数であり、起動信号ＤＲＶを出力した回数ＮＤＲＶは、メイン装置１４がスリープ状態から起動状態へ移行した回数に等しいので、制御手段１３３１は、回数ＮＤＲＶをカウントすると、回数ＮＤＲＶから有効ウェイクアップ回数ＥＷを減算して無効ウェイクアップ回数ＩＷを求める。
【００９６】
更に、制御手段１３３１は、有効ウェイクアップ回数ＥＷおよび無効ウェイクアップ回数ＩＷに基づいて、有効ウェイクアップ確率ＰＥＷを算出する。
【００９７】
なお、制御手段１３３１は、一定期間Ｔｒｅｎｅｗ内において、有効ウェイクアップ回数ＥＷ、無効ウェイクアップ回数ＩＷおよび有効ウェイクアップ確率ＰＥＷを求める。
【００９８】
ログ情報ＬＯＧは、無線基地局１における有効ウェイクアップ回数ＥＷ、無効ウェイクアップ回数ＩＷおよび有効ウェイクアップ確率ＰＥＷと、無線基地局１の周囲に存在する他の無線基地局における有効ウェイクアップ回数ＥＷ、無効ウェイクアップ回数ＩＷおよび有効ウェイクアップ確率ＰＥＷとからなる。
【００９９】
制御手段１３３１は、受信信号強度ＲＳＳＩ＿Ｂｅａｃｏｎおよびログ情報ＬＯＧを受けると、公知の受信信号強度と距離との対応関係を示す対応図ＲＬを記憶手段１３３２から読み出し、その読み出した対応図ＲＬに基づいて、受信信号強度ＲＳＳＩ＿Ｂｅａｃｏｎに対応する距離Ｌを求める。
【０１００】
そして、制御手段１３３１は、他の無線基地局の番号、距離Ｌ、有効ウェイクアップ回数ＥＷ、無効ウェイクアップ回数ＩＷおよび有効ウェイクアップ確率ＰＥＷを相互に対応付けて、記憶手段１３３２に記憶されたログテーブルＴＢＬＬＯＧに格納する。
【０１０１】
また、制御手段１３３１は、無線基地局１における有効ウェイクアップ回数ＥＷ、無効ウェイクアップ回数ＩＷおよび有効ウェイクアップ確率ＰＥＷを求めると、無線基地局１の番号、有効ウェイクアップ回数ＥＷ、無効ウェイクアップ回数ＩＷおよび有効ウェイクアップ確率ＰＥＷを相互に対応付けてログテーブルＴＢＬＬＯＧに格納する。
【０１０２】
なお、制御手段１３３１は、受信信号強度ＲＳＳＩ＿Ｂｅａｃｏｎおよびログ情報ＬＯＧをホストシステム１４３から受ける度に、他の無線基地局の番号、距離Ｌ、有効ウェイクアップ回数ＥＷ、無効ウェイクアップ回数ＩＷおよび有効ウェイクアップ確率ＰＥＷをログテーブルＴＢＬＬＯＧに格納してログテーブルＴＢＬＬＯＧを更新する。また、制御手段１３３１は、無線基地局１における有効ウェイクアップ回数ＥＷ、無効ウェイクアップ回数ＩＷおよび有効ウェイクアップ確率ＰＥＷを求める毎に、無線基地局１の番号、有効ウェイクアップ回数ＥＷ、無効ウェイクアップ回数ＩＷおよび有効ウェイクアップ確率ＰＥＷをログテーブルＴＢＬＬＯＧに格納してログテーブルＴＢＬＬＯＧを更新する。
【０１０３】
制御手段１３３１は、一定期間Ｔｒｅｎｅｗが経過すると、ログテーブルＴＢＬＬＯＧに格納された全ての有効ウェイクアップ確率ＰＥＷを読み出し、その読み出した全ての有効ウェイクアップ確率ＰＥＷに基づいて有効ウェイクアップ確率ＰＥＷの平均値Ｐａｖｒを求める。
【０１０４】
そして、制御手段１３３１は、平均値Ｐａｖｒを求めると、有効ウェイクアップ確率ＰＥＷの平均値と起動確率ＺＥＷとの対応関係を示す対応表ＴＢＬ２を記憶手段１３３２から読み出し、その読み出した対応表ＴＢＬ２を参照して、その求めた平均値Ｐａｖｒに対応する値を検出し、その検出した値を起動確率ＺＥＷとして決定する。
【０１０５】
制御手段１３３１は、起動確率ＺＲＩ，ＺＥＷを求めると、係数ｗＲＩ，ｗＥＷおよび起動確率ＺＲＩ，ＺＥＷを式（１）に代入して起動確率Ｚを求める。即ち、制御手段１３３１は、起動確率ＺＲＩ，ＺＥＷを重み付け平均して起動確率Ｚを求める。そして、制御手段１３３１は、乱数ｒを発生し、その発生した乱数ｒが起動確率Ｚ以下であるか否かを判定する。
【０１０６】
制御手段１３３１は、乱数ｒが起動確率Ｚ以下であると判定したとき、起動信号ＤＲＶを生成してホストシステム１４３へ出力し、回数ＮＤＲＶを“１”だけ増加する。
【０１０７】
一方、制御手段１３３１は、乱数ｒが起動確率Ｚよりも大きいと判定したとき、起動信号ＤＲＶを生成せずに、メイン装置１４がスリープ状態を維持した維持回数ＮＳＬＰを“１”だけ増加する。
【０１０８】
制御手段１３３１は、有効ウェイクアップ確率ＰＥＷの平均値のしきい値Ｐｔｈ、およびメイン装置１４がスリープ状態を維持した維持回数ＮＳＬＰのしきい値Ｎｔｈ＿ＳＬＰを予め保持している。しきい値Ｐｔｈは、例えば、８０〜９０％に設定される。また、しきい値Ｎｔｈ＿ＳＬＰは、例えば、５回に設定される。
【０１０９】
そして、制御手段１３３１は、有効ウェイクアップ確率ＰＥＷの平均値Ｐａｖｒがしきい値Ｐｔｈ以下である場合、記憶手段１３３２から対応表ＴＢＬ２を読み出し、その読み出した対応表ＴＢＬ２を参照して、値が小さくなるように起動確率ＺＥＷを更新する。
【０１１０】
また、制御手段１３３１は、維持回数ＮＳＬＰがしきい値Ｎｔｈ＿ＳＬＰ以上である場合、維持回数ＮＳＬＰと起動確率ＺＥＷとの対応関係を示す対応表ＴＢＬ３を記憶手段１３３２から読み出し、その読み出した対応表ＴＢＬ３を参照して、値が大きくなるように起動確率ＺＥＷを更新する。
【０１１１】
そうすると、制御手段１３３１は、その更新した起動確率ＺＲＩ，ＺＥＷを用いて起動確率Ｚを求める。
【０１１２】
記憶手段１３３２は、対応表ＴＢＬ１，ＴＢＬ２，ＴＢＬ３、対応図ＲＬおよびログテーブルＴＢＬＬＯＧを記憶する。
【０１１３】
図５は、ログテーブルＴＢＬＬＯＧの概念図である。図５を参照して、ログテーブルＴＢＬＬＯＧは、無線基地局（ＡＰ）の番号と、距離と、有効ウェイクアップ回数ＥＷと、無効ウェイクアップ回数ＩＷと、有効ウェイクアップ確率ＰＥＷとを含む。
【０１１４】
無線基地局（ＡＰ）の番号、距離、有効ウェイクアップ回数ＥＷ、無効ウェイクアップ回数ＩＷおよび有効ウェイクアップ確率ＰＥＷは、相互に対応付けられる。
【０１１５】
無線基地局の番号ＡＰ０は、ログテーブルＴＢＬＬＯＧを作成する無線基地局の番号を示す。無線基地局の番号ＡＰ１〜ＡＰ３は、ログテーブルＴＢＬＬＯＧを作成する無線基地局以外の無線基地局の番号を示す。
【０１１６】
距離は、ログテーブルＴＢＬＬＯＧを作成する無線基地局と他の無線基地局との距離を示す。従って、ログテーブルＴＢＬＬＯＧを作成する無線基地局の番号ＡＰ０に対応する距離には、具体的な数値は、格納されない。
【０１１７】
無線基地局１〜ｎの各々は、図５に示すログテーブルＴＢＬＬＯＧを作成して記憶手段１３３２に格納するとともに、その格納したログテーブルＴＢＬＬＯＧを更新する。
【０１１８】
図６は、対応表ＴＢＬ１の例を示す図である。図６を参照して、対応表ＴＢＬ１−１は、受信信号強度ＲＳＳＩ＿ＷＫＥと、起動確率ＺＲＩとを含む。
【０１１９】
受信信号強度ＲＳＳＩ＿ＷＫＥおよび起動確率ＺＲＩは、相互に対応付けられる。受信信号強度ＲＳＳＩ＿ＷＫＥが０≦ＲＳＳＩ＿ＷＫＥ≦１０である場合、起動確率ＺＲＩは、０．１であり、受信信号強度ＲＳＳＩ＿ＷＫＥが１０＜ＲＳＳＩ＿ＷＫＥ≦２０である場合、起動確率ＺＲＩは、０．２であり、受信信号強度ＲＳＳＩ＿ＷＫＥが２０＜ＲＳＳＩ＿ＷＫＥ≦３０である場合、起動確率ＺＲＩは、０．３であり、受信信号強度ＲＳＳＩ＿ＷＫＥが３０＜ＲＳＳＩ＿ＷＫＥ≦４０である場合、起動確率ＺＲＩは、０．４であり、受信信号強度ＲＳＳＩ＿ＷＫＥが４０＜ＲＳＳＩ＿ＷＫＥ≦５０である場合、起動確率ＺＲＩは、０．５であり、受信信号強度ＲＳＳＩ＿ＷＫＥが５０＜ＲＳＳＩ＿ＷＫＥ≦６０である場合、起動確率ＺＲＩは、０．６であり、受信信号強度ＲＳＳＩ＿ＷＫＥが６０＜ＲＳＳＩ＿ＷＫＥ≦７０である場合、起動確率ＺＲＩは、０．７であり、受信信号強度ＲＳＳＩ＿ＷＫＥが７０＜ＲＳＳＩ＿ＷＫＥ≦８０である場合、起動確率ＺＲＩは、０．８であり、受信信号強度ＲＳＳＩ＿ＷＫＥが８０＜ＲＳＳＩ＿ＷＫＥ≦９０である場合、起動確率ＺＲＩは、０．９であり、受信信号強度ＲＳＳＩ＿ＷＫＥが９０＜ＲＳＳＩ＿ＷＫＥである場合、起動確率ＺＲＩは、１．０である。
【０１２０】
このように、起動確率ＺＲＩは、例えば、受信信号強度ＲＳＳＩ＿ＷＫＥが大きくなれば、大きくなり、受信信号強度ＲＳＳＩ＿ＷＫＥが小さくなれば、小さくなるように決定される。
【０１２１】
図７は、対応表ＴＢＬ２の例を示す図である。図７を参照して、対応表ＴＢＬ２−１は、有効ウェイクアップ確率の平均値Ｐａｖｒと、起動確率ＺＥＷとを含む。
【０１２２】
有効ウェイクアップ確率の平均値Ｐａｖｒおよび起動確率ＺＥＷは、相互に対応付けられる。有効ウェイクアップ確率の平均値Ｐａｖｒが０≦Ｐａｖｒ≦１０である場合、起動確率ＺＥＷは、ＺＥＷ＝ＺＥＷ×０．１であり、有効ウェイクアップ確率の平均値Ｐａｖｒが１０＜Ｐａｖｒ≦２０である場合、起動確率ＺＥＷは、ＺＥＷ＝ＺＥＷ×０．２であり、有効ウェイクアップ確率の平均値Ｐａｖｒが２０＜Ｐａｖｒ≦３０である場合、起動確率ＺＥＷは、ＺＥＷ＝ＺＥＷ×０．３であり、有効ウェイクアップ確率の平均値Ｐａｖｒが３０＜Ｐａｖｒ≦４０である場合、起動確率ＺＥＷは、ＺＥＷ＝ＺＥＷ×０．４であり、有効ウェイクアップ確率の平均値Ｐａｖｒが４０＜Ｐａｖｒ≦５０である場合、起動確率ＺＥＷは、ＺＥＷ＝ＺＥＷ×０．５であり、有効ウェイクアップ確率の平均値Ｐａｖｒが５０＜Ｐａｖｒ≦６０である場合、起動確率ＺＥＷは、ＺＥＷ＝ＺＥＷ×０．６であり、有効ウェイクアップ確率の平均値Ｐａｖｒが６０＜Ｐａｖｒ≦７０である場合、起動確率ＺＥＷは、ＺＥＷ＝ＺＥＷ×０．７であり、有効ウェイクアップ確率の平均値Ｐａｖｒが７０＜Ｐａｖｒ≦８０である場合、起動確率ＺＥＷは、ＺＥＷ＝ＺＥＷ×０．８であり、有効ウェイクアップ確率の平均値Ｐａｖｒが８０＜Ｐａｖｒ≦９０である場合、起動確率ＺＥＷは、ＺＥＷ＝ＺＥＷ×０．９であり、有効ウェイクアップ確率の平均値Ｐａｖｒが９０＜Ｐａｖｒ≦１００である場合、起動確率ＺＥＷは、ＺＥＷ＝ＺＥＷ×１．０である。
【０１２３】
なお、起動確率ＺＥＷの初期値は、１．０に設定される。
【０１２４】
このように、起動確率ＺＥＷは、例えば、有効ウェイクアップ確率の平均値Ｐａｖｒの減少に伴って段階的に小さくなるように決定される。
【０１２５】
図８は、対応表ＴＢＬ３の例を示す図である。図８を参照して、対応表ＴＢＬ３−１は、維持回数ＮＳＬＰと、起動確率ＺＥＷとを含む。
【０１２６】
維持回数ＮＳＬＰおよび起動確率ＺＥＷは、相互に対応付けられる。維持回数ＮＳＬＰが０≦ＮＳＬＰ≦２である場合、起動確率ＺＥＷは、ＺＥＷ＝ＺＥＷであり、維持回数ＮＳＬＰが３≦ＮＳＬＰ≦４である場合、起動確率ＺＥＷは、ＺＥＷ＝ＺＥＷ×１．２であり、維持回数ＮＳＬＰが５≦ＮＳＬＰ≦６である場合、起動確率ＺＥＷは、ＺＥＷ＝ＺＥＷ×１．４であり、維持回数ＮＳＬＰが７≦ＮＳＬＰ≦８である場合、起動確率ＺＥＷは、ＺＥＷ＝ＺＥＷ×１．６であり、維持回数ＮＳＬＰが９≦ＮＳＬＰ≦１０である場合、、起動確率ＺＥＷは、ＺＥＷ＝ＺＥＷ×１．８であり、維持回数ＮＳＬＰが１１≦ＮＳＬＰである場合、起動確率ＺＥＷは、ＺＥＷ＝ＺＥＷ×２．０である。
【０１２７】
なお、ＺＥＷ×１．２〜ＺＥＷ×２．０の演算結果が１．０よりも大きくなる場合、新たな起動確率ＺＥＷは、１．０に設定される。また、起動確率ＺＥＷの初期値は、有効ウェイクアップ確率ＰＥＷの平均値Ｐａｖｒに対応して決定された値（図７参照）に設定される。
【０１２８】
このように、起動確率ＺＥＷは、維持回数ＮＳＬＰがしきい値Ｎｔｈ＿ＳＬＰ（５回）以上になると、維持回数ＮＳＬＰの増加に伴って段階的に大きくなるように決定される。
【０１２９】
対応表ＴＢＬ３−１においては、維持回数ＮＳＬＰに対して起動確率ＺＥＷを段階的に大きくしたが、この発明の実施の形態においては、これに限らず、起動確率ＺＥＷをいきなり“１．０”に設定してもよく、維持回数ＮＳＬＰが増加するに伴って任意の方法で起動確率ＺＥＷを大きくしてもよい。
【０１３０】
図９は、スリープ状態であるときの無線基地局１〜ｎの動作を説明するためのフローチャートである。
【０１３１】
図９を参照して、一連の動作が開始されると、無線基地局１〜ｎのウェイクアップ装置１３は、ウェイクアップ信号ＷＫＥを正しく受信し（ステップＳ１）、ウェイクアップ信号ＷＫＥを受信したときの受信信号強度ＲＳＳＩ＿ＷＫＥを検出する。
【０１３２】
そして、ウェイクアップ装置１３は、ウェイクアップ信号ＷＫＥを復調してウェイクアップ信号ＷＫＥに含まれるウェイクアップＩＤを検出し、その検出したウェイクアップＩＤが無線基地局１〜ｎのＩＤに一致することを検知する。
【０１３３】
また、ウェイクアップ装置１３は、対応表ＴＢＬ１を参照して、検出した受信信号強度ＲＳＳＩ＿ＷＫＥに対応する起動確率ＺＲＩを検出する（ステップＳ２）。そして、ウェイクアップ装置１３は、その検出した起動確率ＺＲＩを式（１）に代入して起動確率Ｚを計算することによって、起動確率ＺＲＩを用いて起動確率Ｚを更新する（ステップＳ３）。
【０１３４】
なお、ステップＳ３を１回目に実行する場合、起動確率ＺＥＷとして初期値（＝１．０）が用いられ、ステップＳ３を２回目以降に実行する場合、後述するステップＳ１４またはステップＳ１８において更新された起動確率ＺＥＷが用いられる。
【０１３５】
ステップＳ３の後、ウェイクアップ装置１３は、０〜１の範囲の一様乱数を発生し、その発生した乱数をｒに格納する（ステップＳ４）。
【０１３６】
そうすると、ウェイクアップ装置１３は、乱数ｒが起動確率Ｚ以下であるか否かを判定する（ステップＳ５）。
【０１３７】
ステップＳ５において、乱数ｒが起動確率Ｚ以下であると判定されたとき、ウェイクアップ装置１３は、起動信号ＤＲＶを生成してメイン装置１４へ出力する。そして、メイン装置１４は、ウェイクアップ装置１３からの起動信号ＤＲＶに応じてスリープ状態から起動状態へ移行する（ステップＳ６）。
【０１３８】
引き続いて、ウェイクアップ装置１３は、リンク確立信号ＬＥＳをメイン装置１４から受けたか否かを判定することによって、無線基地局１〜ｎが端末装置（ＳＴＡ）と接続したか否かを判定する（ステップＳ７）。
【０１３９】
ステップＳ７において、無線基地局１〜ｎが端末装置（ＳＴＡ）と接続したと判定されたとき、ウェイクアップ装置１３は、ＥＷ＝ＥＷ＋１を演算する（ステップＳ８）。
【０１４０】
一方、ステップＳ７において、無線基地局１〜ｎが端末装置（ＳＴＡ）と接続しなかったと判定されたとき、ウェイクアップ装置１３は、ＩＷ＝ＩＷ＋１を演算する（ステップＳ９）。
【０１４１】
そして、ステップＳ８またはステップＳ９の後、ウェイクアップ装置１３は、更新周期（一定期間Ｔｒｅｎｅｗ）が経過したか否かを判定する（ステップＳ１０）。
【０１４２】
ステップＳ１０において、更新周期（一定期間Ｔｒｅｎｅｗ）が経過していないと判定されたとき、一連の動作は、ステップＳ１へ移行する。
【０１４３】
一方、ステップＳ１０において、更新周期（一定期間Ｔｒｅｎｅｗ）が経過したと判定されたとき、ウェイクアップ装置１３は、ログテーブルＴＢＬＬＯＧに格納された有効ウェイクアップ回数ＥＷおよび無効ウェイクアップ回数ＩＷに基づいて、有効ウェイクアップ確率ＰＥＷを算出する（ステップＳ１１）。
【０１４４】
そして、ウェイクアップ装置１３は、ログテーブルＴＢＬＬＯＧを参照して、半径がβ（ｍ）以内に存在する他の無線基地局の有効ウェイクアップ確率ＰＥＷを読み出し、その読み出した有効ウェイクアップ確率ＰＥＷと、ステップＳ１１において算出した有効ウェイクアップ確率ＰＥＷとを用いて有効ウェイクアップ確率ＰＥＷの平均値Ｐａｖｒを算出する（ステップＳ１２）。
【０１４５】
その後、ウェイクアップ装置１３は、平均値Ｐａｖｒがしきい値Ｐｔｈ以下であるか否かを判定する（ステップＳ１３）。
【０１４６】
ステップＳ１３において、平均値Ｐａｖｒがしきい値Ｐｔｈ以下であると判定されたとき、ウェイクアップ装置１３は、対応表ＴＢＬ２を参照して、平均値Ｐａｖｒに対応する値を検出し、その検出した値を新たな起動確率ＺＥＷに設定して起動確率ＺＥＷを更新する（ステップＳ１４）。
【０１４７】
そして、ステップＳ１３において、平均値Ｐａｖｒがしきい値Ｐｔｈよりも大きいと判定されたとき、またはステップＳ１４の後、ウェイクアップ装置１３は、有効ウェイクアップ回数ＥＷおよび無効ウェイクアップ回数ＩＷをリセットする（ステップＳ１５）。その後、一連の動作は、ステップＳ１へ移行する。
【０１４８】
一方、ステップＳ５において、乱数ｒが起動確率Ｚよりも大きいと判定されたとき、ウェイクアップ装置１３は、一定期間ＴＷＤ内にスリープ状態を維持した維持回数ＮＳＬＰをカウントする（ステップＳ１６）。
【０１４９】
そして、ウェイクアップ装置１３は、維持回数ＮＳＬＰがしきい値Ｎｔｈ＿ＳＬＰ以上であるか否かを判定する（ステップＳ１７）。
【０１５０】
ステップＳ１７において、維持回数ＮＳＬＰがしきい値Ｎｔｈ＿ＳＬＰ以上であると判定されたとき、ウェイクアップ装置１３は、対応表ＴＢＬ３を参照して、維持回数ＮＳＬＰに対応する値を検出し、その検出した値を新たな起動確率ＺＥＷに設定して起動確率ＺＥＷを更新する（ステップＳ１８）。
【０１５１】
そして、ステップＳ１７において、維持回数ＮＳＬＰがしきい値Ｎｔｈ＿ＳＬＰよりも小さいと判定されたとき、またはステップＳ１８の後、メイン装置Ｓ１９は、スリープ状態を維持する（ステップＳ１９）。
【０１５２】
その後、一連の動作は、ステップＳ１へ移行する。
【０１５３】
このように、無線基地局１〜ｎの各々は、上述したステップＳ１〜ステップＳ１９を繰り返し実行し、スリープ状態から起動状態へ移行し、またはスリープ状態を維持する。
【０１５４】
ステップＳ１１における有効ウェイクアップ確率ＰＥＷの算出は、ログテーブルＴＢＬＬＯＧに格納された有効ウェイクアップ回数ＥＷおよび無効ウェイクアップ回数ＩＷを用いて行われる。従って、有効ウェイクアップ確率ＰＥＷの算出は、ログ情報ＬＯＧを用いて行われる。
【０１５５】
また、ステップＳ１２における有効ウェイクアップ確率ＰＥＷの平均値Ｐａｖｒは、ログテーブルＴＢＬＬＯＧに格納された有効ウェイクアップ確率ＰＥＷ（図９に示すフローチャートを実行する無線基地局およびその無線基地局以外の無線基地局の有効ウェイクアップ確率ＰＥＷ）を用いて算出される。従って、有効ウェイクアップ確率ＰＥＷの平均値Ｐａｖｒは、ログ情報ＬＯＧを用いて算出される。
【０１５６】
そして、平均値Ｐａｖｒがしきい値Ｐｔｈ以下であるか否かを判定することによって確率値が小さくなるように起動確率ＺＥＷを更新するか否かを決定する（ステップＳ１３，Ｓ１４参照）。
【０１５７】
従って、図９に示すフローチャートは、確率値が小さくなるように起動確率ＺＥＷを更新するか否かをログ情報によって決定することを特徴とする。
【０１５８】
そして、ステップＳ１４において、起動確率ＺＥＷは、有効ウェイクアップ確率ＰＥＷに応じて確率値が小さくなるように更新され、有効ウェイクアップ確率ＰＥＷは、起動状態へ移行し、かつ、実際に端末装置１０と無線リンクを確率した回数（有効ウェイクアップ回数ＥＷ）を用いて算出され、実際に端末装置１０と無線リンクを確立する無線基地局は、最終的には、１個の無線基地局になるので、ある１つの無線基地局において有効ウェイクアップ確率ＰＥＷが増加する可能性が大きい。従って、複数の無線基地局が同時に起動状態へ移行する可能性を低くできる。
【０１５９】
また、ステップＳ１４における起動確率ＺＥＷの更新は、有効ウェイクアップ確率ＰＥＷの平均値Ｐａｖｒがしきい値Ｐｔｈ（８０〜９０％）以下である場合に、対応表ＴＢＬ２−１（図７参照）を参照して行われるので、更新された後の起動確率ＺＥＷは、更新前よりも小さくなる。その結果、連続してスリープ状態から起動状態へ移行している無線基地局（無線基地局１〜ｎのいずれか）において、起動確率Ｚが小さくなり、スリープ状態から起動状態へ移行する可能性が低くなる。
【０１６０】
そして、スリープ状態から起動状態へ移行しても、端末装置１０との間で無線リンクを確立できなかった場合は、無効ウェイクアップ回数ＩＷが増加し（ステップＳ９参照）、有効ウェイクアップ確率ＰＥＷが小さくなる。その結果、有効ウェイクアップ確率ＰＥＷの平均値Ｐａｖｒがしきい値Ｐｔｈ（８０〜９０％）以下になる可能性が高くなり、起動確率ＺＥＷは、対応表ＴＢＬ２−１（図７参照）を参照して小さくなるように更新され、起動確率Ｚが小さくなるので、スリープ状態から起動状態へ移行する可能性が低くなる。
【０１６１】
一方、起動確率ＺＥＷが小さくなって、スリープ状態から起動状態へ移行する可能性が低くなった無線基地局においても、スリープ状態を維持した維持回数ＮＳＬＰがしきい値Ｎｔｈ＿ＳＬＰ以上になると、起動確率ＺＥＷは、対応表ＴＢＬ３−１（図８参照）を参照して大きくなるように更新される（ステップＳ１８参照）。その結果、起動確率Ｚが大きくなり、スリープ状態から起動状態へ移行する可能性が高くなる。
【０１６２】
このように、図９に示すフローチャートに従って無線基地局のウェイクアップを制御することによって、各無線基地局１〜ｎにおける起動確率Ｚは、随時、増減され、複数の無線基地局が同時にスリープ状態から起動状態へ移行する可能性が低くなる。従って、無線基地局１〜ｎの分布が非一様である場合でも、無駄なウェイクアップを抑制できる。
【０１６３】
また、起動確率ＺＲＩは、ウェイクアップ信号ＷＫＥを受信したときの受信信号強度ＲＳＳＩ＿ＷＫＥに基づいて、対応表ＴＢＬ１−１（図６参照）を参照して更新されるので、更新後の起動確率ＺＲＩは、無線基地局１〜ｎと端末装置１０との距離が短いほど大きくなる。その結果、端末装置１０の近くに存在する無線基地局（無線基地局１〜ｎのいずれか）をウェイクアップさせることができる可能性が高くなる。従って、ウェイクアップ信号を送信する端末装置１０から所望の位置に存在する無線基地局（無線基地局１〜ｎのいずれか）をウェイクアップさせることができる。
【０１６４】
更に、無線基地局１〜ｎがスリープ状態を一定回数（しきい値Ｎｔｈ＿ＳＬＰ）以上維持した場合、大きくなるように起動確率ＺＥＷを更新するので（ステップＳ１８参照）、起動確率ＺＥＷの更新後においては、起動確率Ｚが大きくなり、ウェイクアップさせることができる可能性が高くなる。
【０１６５】
従って、ウェイクアップ信号ＷＫＥの送信回数を少なくできる。
【０１６６】
図１０は、起動確率ＺＲＩと受信信号強度ＲＳＳＩ＿ＷＫＥとの関係を示す図である。図１０を参照して、起動確率ＺＲＩは、受信信号強度ＲＳＳＩ＿ＷＫＥの増加に対して直線的に増加する（図１０の（ａ）参照）。
【０１６７】
起動確率ＺＲＩが受信信号強度ＲＳＳＩ＿ＷＫＥの増加に対して直線的に増加することによって、受信信号強度ＲＳＳＩ＿ＷＫＥが大きいほど、起動確率Ｚが高くなり、受信信号強度ＲＳＳＩ＿ＷＫＥが小さくても、起動確率Ｚが低くなり過ぎることがない。その結果、端末装置１０から遠い無線基地局しか存在しない場合、ウェイクアップ信号ＷＫＥの再送回数を抑制できる。
【０１６８】
また、起動確率ＺＲＩは、受信信号強度ＲＳＳＩ＿ＷＫＥの増加に対して非線形的に増加する（図１０の（ｂ）参照）。
【０１６９】
起動確率ＺＲＩが受信信号強度ＲＳＳＩ＿ＷＫＥの増加に対して非線形的に増加することによって、受信信号強度ＲＳＳＩ＿ＷＫＥが大きいほど、起動確率Ｚが非常に高くなり、受信信号強度ＲＳＳＩ＿ＷＫＥが小さい無線基地局の起動確率Ｚを“０”に近づけることが可能である。その結果、端末装置１０から遠い無線基地局における無効ウェイクアップ回数ＩＷを抑制できる。
【０１７０】
更に、起動確率ＺＲＩは、受信信号強度ＲＳＳＩ＿ＷＫＥの増加に伴って増加し、受信信号強度ＲＳＳＩ＿ＷＫＥの任意の値で最大になり、受信信号強度ＲＳＳＩ＿ＷＫＥが任意の値よりも増加するに伴って減少する（図１０の（ｃ）参照）。
【０１７１】
起動確率ＺＲＩと受信信号強度ＲＳＳＩ＿ＷＫＥとの関係を図１０の（ｃ）に示す関係に設定することによって、後述するセンサーネットワークにおいて、中継に適したノードを起動させることができる。
【０１７２】
更に、起動確率ＺＲＩは、受信信号強度ＲＳＳＩ＿ＷＫＥの増加に対して直線的に減少する（図１０の（ｄ）参照）。
【０１７３】
起動確率ＺＲＩが受信信号強度ＲＳＳＩ＿ＷＫＥの増加に対して直線的に減少することによって、後述するセンサーネットワークにおいて、送信元のノードから遠いノードを起動させ、中継に必要なホップ数を削減できる。
【０１７４】
なお、図６に示す起動確率ＺＲＩと受信信号強度ＲＳＳＩ＿ＷＫＥとの関係は、受信信号強度ＲＳＳＩ＿ＷＫＥの増加に伴って起動確率ＺＲＩを段階的に増加させた場合に相当する。
【０１７５】
ウェイクアップ装置１３において、信号生成器１３３の記憶手段１３３２は、図１０の（ａ）〜（ｄ）のいずれかに示す起動確率ＺＲＩと受信信号強度ＲＳＳＩ＿ＷＫＥとの関係を対応表ＴＢＬ１として記憶する。そして、信号生成器１３３の制御手段１３３１は、図１０の（ａ）〜（ｄ）のいずれかに示す起動確率ＺＲＩと受信信号強度ＲＳＳＩ＿ＷＫＥとの関係からなる対応表ＴＢＬ１を記憶手段１３３２から読み出し、その読み出した対応表ＴＢＬ１を参照して、受信信号強度ＲＳＳＩ＿ＷＫＥに対応する値を検出し、その検出した値を起動確率ＺＲＩとして決定してもよい。
【０１７６】
また、信号生成器１３３の記憶手段１３３２は、図１０の（ａ）〜（ｄ）の少なくとも１つに示す起動確率ＺＲＩと受信信号強度ＲＳＳＩ＿ＷＫＥとの関係を示す少なくとも１つの対応表ＴＢＬ１を記憶する。そして、信号生成器１３３の制御手段１３３１は、少なくとも１つの対応表ＴＢＬ１から任意の対応表ＴＢＬ１を記憶手段１３３２から読み出し、その読み出した対応表ＴＢＬ１を参照して、受信信号強度ＲＳＳＩ＿ＷＫＥに対応する値を検出し、その検出した値を起動確率ＺＲＩとして決定してもよい。
【０１７７】
図１１は、起動確率ＺＥＷと有効ウェイクアップ確率の平均値Ｐａｖｒとの関係を示す図である。
【０１７８】
図１１を参照して、起動確率ＺＥＷは、有効ウェイクアップ確率ＰＥＷの平均値Ｐａｖｒの減少に伴って直線的に減少する（図１１の（ａ）参照）。
【０１７９】
起動確率ＺＥＷが有効ウェイクアップ確率ＰＥＷの平均値Ｐａｖｒの減少に伴って直線的に減少することによって、有効ウェイクアップ確率ＰＥＷが高いほど、ウェイクアップ確率が高くなるが、有効ウェイクアップ確率ＰＥＷが低い無線基地局においても、ウェイクアップ確率が下がり過ぎるのが抑制される。その結果、有効ウェイクアップ確率ＰＥＷが低い無線基地局としか無線通信を行うことができない端末装置が現れた場合、ウェイクアップ信号ＷＫＥの再送回数を抑制できる。
【０１８０】
また、起動確率ＺＥＷは、有効ウェイクアップ確率ＰＥＷの平均値Ｐａｖｒの減少に伴って非線形的に減少する（図１１の（ｂ）参照）。
【０１８１】
起動確率ＺＥＷが有効ウェイクアップ確率ＰＥＷの平均値Ｐａｖｒの減少に伴って非線形的に減少することによって、有効ウェイクアップ確率ＰＥＷが高い場合、ウェイクアップ確率が一気に高くなる。その結果、有効ウェイクアップ確率ＰＥＷが高い無線基地局におけるウェイクアップ確率の増加、および有効ウェイクアップ確率ＰＥＷが低い無線基地局におけるウェイクアップ確率の低下を迅速に実行できる。
【０１８２】
ウェイクアップ装置１３において、信号生成器１３３の記憶手段１３３２は、図１１の（ａ），（ｂ）のいずれかに示す起動確率ＺＥＷと有効ウェイクアップ確率ＰＥＷの平均値Ｐａｖｒとの関係を対応表ＴＢＬ２として記憶する。そして、信号生成器１３３の制御手段１３３１は、図１１の（ａ），（ｂ）のいずれかに示す起動確率ＺＥＷと有効ウェイクアップ確率ＰＥＷの平均値Ｐａｖｒとの関係からなる対応表ＴＢＬ２を記憶手段１３３２から読み出し、その読み出した対応表ＴＢＬ２を参照して、図９に示すステップＳ１４において起動確率ＺＥＷを更新してもよい。
【０１８３】
また、ウェイクアップ装置１３において、信号生成器１３３の記憶手段１３３２は、図１１の（ａ），（ｂ）の少なくとも１つに示す起動確率ＺＥＷと有効ウェイクアップ確率ＰＥＷの平均値Ｐａｖｒとの関係を示す少なくとも１つの対応表ＴＢＬ２を記憶する。そして、信号生成器１３３の制御手段１３３１は、少なくとも１つの対応表ＴＢＬ２から任意の対応表ＴＢＬ２を記憶手段１３３２から読み出し、その読み出した対応表ＴＢＬ２を参照して、図９に示すステップＳ１４において起動確率ＺＥＷを更新してもよい。
【０１８４】
なお、図７に示す起動確率ＺＥＷと有効ウェイクアップ確率ＰＥＷの平均値Ｐａｖｒとの関係は、有効ウェイクアップ確率ＰＥＷの平均値Ｐａｖｒの減少に伴って起動確率ＺＥＷを段階的に減少させた場合に相当する。
【０１８５】
この発明の実施の形態においては、信号生成器１３３の制御手段１３３１は、次式に従って、図９に示すステップＳ１４において起動確率ＺＥＷを更新してもよい。
【０１８６】
【数２】
2014155057.tif 000004
【０１８７】
式（２）において、αは、１．０よりも小さい定数であり、ＺＥＷｍｉｎは、起動確率ＺＥＷの最小値である。
【０１８８】
式（２）において、例えば、α＝０．５、ＺＥＷｍｉｎ＝０．１とすると、確率ＺＥＷは、平均値Ｐａｖｒがしきい値Ｐｔｈ以下であると判定される毎に、０．１を下回らない範囲において半減していく。
【０１８９】
なお、この場合、信号生成器１３３の制御手段１３３１は、αおよびＺＥＷｍｉｎを予め保持している。
【０１９０】
このように、信号生成器１３３の制御手段１３３１は、平均値Ｐａｖｒの大きさによらずに、起動確率ＺＥＷを更新してもよい。
【０１９１】
従って、図９に示すステップＳ１４においては、一般的に、起動確率ＺＥＷは、更新後の確率値が更新前の確率値よりも小さくなるように更新される。
【０１９２】
この発明の実施の形態においては、信号生成器１３３の制御手段１３３１は、次式に従って、図９に示すステップＳ１８において起動確率ＺＥＷを更新してもよい。
【０１９３】
【数３】
2014155057.tif 000005
【０１９４】
図１２は、式（３）におけるｆ（ＮＳＬＰ）と維持回数ＮＳＬＰとの関係を示す図である。図１２を参照して、ｆ（ＮＳＬＰ）は、維持回数ＮＳＬＰが１〜１０の範囲において増加するに伴って１〜２の範囲において直線的に大きくなり、維持回数ＮＳＬＰが１１以上になると、一定値（＝２）になる（図１２の（ａ）参照）。
【０１９５】
これにより、維持回数ＮＳＬＰが多いほど、ウェイクアップ確率が高くなるが、急なウェイクアップ確率の増加を抑制し、無線基地局の無駄な起動を抑制できる。
【０１９６】
また、ｆ（ＮＳＬＰ）は、維持回数ＮＳＬＰが１〜１０の範囲において増加するに伴って１〜２の範囲において非線形的に大きくなり、維持回数ＮＳＬＰが１１以上になると、一定値（＝２）になる（図１２の（ｂ）参照）。
【０１９７】
これにより、維持回数ＮＳＬＰが多い場合、ウェイクアップ確率を急激に上昇させ、ウェイクアップ信号ＷＫＥの再送回数を抑制できる。
【０１９８】
信号生成器１３３の記憶手段１３３２は、図１２の（ａ），（ｂ）のいずれかに示すｆ（ＮＳＬＰ）と維持回数ＮＳＬＰとの関係を記憶する。そして、信号生成器１３３の制御手段１３３１は、図１２の（ａ），（ｂ）のいずれかに示すｆ（ＮＳＬＰ）と維持回数ＮＳＬＰとの関係を記憶手段１３３２から読み出し、その読み出したｆ（ＮＳＬＰ）と維持回数ＮＳＬＰとの関係を参照して、維持回数ＮＳＬＰに対応するｆ（ＮＳＬＰ）を検出し、その検出したｆ（ＮＳＬＰ）を式（３）に代入して起動確率ＺＥＷを更新する。
【０１９９】
この場合、式（３）から明らかなように、ＺＥＷ×ｆ（ＮＳＬＰ）の演算結果が１．０よりも大きくなった場合、起動確率ＺＥＷは、１．０に設定される。
【０２００】
なお、図８に示す起動確率ＺＥＷと維持回数ＮＳＬＰとの関係は、維持回数ＮＳＬＰの増加に伴ってｆ（ＮＳＬＰ）を段階的に増加させた場合に相当する。
【０２０１】
また、この発明の実施の形態においては、信号生成器１３３の制御手段１３３１は、次式に従って、図９に示すステップＳ１８において起動確率ＺＥＷを更新してもよい。
【０２０２】
【数４】
2014155057.tif 000006
【０２０３】
式（４）において、γは、定数であり、１よりも大きい実数からなる。
【０２０４】
例えば、γをγ＝２に設定すると、信号生成器１３３の制御手段１３３１は、維持回数ＮＳＬＰがしきい値Ｎｔｈ＿ＳＬＰ以上であると判定される毎に、起動確率ＺＥＷを２倍にする。
【０２０５】
この場合、式（４）から明らかなように、ＺＥＷ×γの演算結果が１．０よりも大きくなった場合、起動確率ＺＥＷは、１．０に設定される。
【０２０６】
このように、信号生成器１３３の制御手段１３３１は、維持回数ＮＳＬＰの大きさによらずに、起動確率ＺＥＷを更新してもよい。
【０２０７】
更に、この発明の実施の形態においては、信号生成器１３３の制御手段１３３１は、維持回数ＮＳＬＰがしきい値Ｎｔｈ＿ＳＬＰ以上であると判定される毎に、起動確率ＺＥＷを１．０に設定することによって、図９に示すステップＳ１８において起動確率ＺＥＷを更新してもよい。
【０２０８】
その結果、信号生成器１３３の制御手段１３３１は、維持回数ＮＳＬＰの大きさによらずに、起動確率ＺＥＷを更新する。
【０２０９】
従って、図９に示すステップＳ１８においては、一般的に、起動確率ＺＥＷは、更新後の確率値が更新前の確率値よりも大きくなるように更新される。
【０２１０】
上述したように、起動確率ＺＥＷは、図９に示すステップＳ１４において、各種の方法によって更新されるが、一般的には、信号生成器１３３の制御手段１３３１は、図９に示すステップＳ１４において、更新後の起動確率ＺＥＷが更新前の起動確率ＺＥＷよりも減少する方法であれば、任意の方法を用いて起動確率ＺＥＷを更新してもよい。
【０２１１】
また、上述したように、起動確率ＺＥＷは、図９に示すステップＳ１８において、各種の方法によって更新されるが、一般的には、信号生成器１３３の制御手段１３３１は、図９に示すステップＳ１８において、更新後の起動確率ＺＥＷが更新前の起動確率ＺＥＷよりも増加する方法であれば、任意の方法を用いて起動確率ＺＥＷを更新してもよい。
【０２１２】
［応用例１］
図１３は、センサーネットワークの構成を示す図である。図１３を参照して、センサーネットワーク２００は、ノードＮ−１〜Ｎ−１６と、シンクＳとを備える。
【０２１３】
ノードＮ−１〜Ｎ−１６およびシンクＳは、無線通信空間に配置される。そして、ノードＮ−１２，Ｎ−１５，Ｎ−１６は、シンクＳへデータを直接送信できる位置に配置され、ノードＮ−１〜Ｎ−１１，Ｎ−１３，Ｎ−１４は、シンクＳへデータを直接送信できない位置に配置されている。
【０２１４】
ノードＮ−１〜Ｎ−１６は、通常、スリープ状態にあり、周期的に起動状態へ移行し、上述したログ情報ＬＯＧを相互に交換する。この場合、周期は、例えば、１日に設定される。
【０２１５】
そして、ノードＮ−１〜Ｎ−１６の各々は、起動状態へ移行すると、温度、電流値、湿度および照度等の各種のデータを検出し、その検出したデータをシンクＳへ送信する。
【０２１６】
シンクＳは、ノードＮ−１〜Ｎ−１６が検出したデータをノードＮ−１〜Ｎ−１６から収集する。
【０２１７】
ノードＮ−１〜Ｎ−１６の各々は、上述した端末装置１０の機能と無線基地局１〜ｎの機能とを併せ持つ。
【０２１８】
センサーネットワーク２００において、ノードＮ−１〜Ｎ−１６のうち、ノードＮ−１がスリープ状態から起動状態へ移行してデータを検出し、その検出したデータをシンクＳへ送信する場合について説明する。
【０２１９】
この場合、ノードＮ−１〜Ｎ−１６の各々は、図１０の（ｄ）に示す関係に従って起動確率ＺＲＩを決定するものとする。
【０２２０】
領域ＲＥＧは、ウェイクアップ信号ＷＫＥの送信範囲であるので、ノードＮ−１は、検出したデータをシンクＳへ直接送信することができない。
【０２２１】
そこで、ノードＮ−１は、データを検出すると、上述した端末装置１０と同じ方法によってウェイクアップ信号ＷＫＥを生成し、その生成したウェイクアップ信号ＷＫＥをブロードキャストする。
【０２２２】
領域ＲＥＧ内に存在するノードＮ−１〜Ｎ−３，Ｎ−５，Ｎ−６は、ノードＮ−１からのウェイクアップ信号ＷＫＥを受信する。そして、ノードＮ−１〜Ｎ−３，Ｎ−５，Ｎ−６のいずれかは、上述した無線基地局１〜ｎと同じように図９に示すフローチャートに従ってウェイクアップする。
【０２２３】
ノードＮ−１〜Ｎ−３，Ｎ−５，Ｎ−６の各々は、図１０の（ｄ）に示す関係に従って起動確率ＺＲＩを決定するので、ノードＮ−１から最も遠い位置に存在するノードＮ−５における起動確率ＺＲＩ（結果的に起動確率Ｚ）が最も大きくなり、ノードＮ−５がスリープ状態から起動状態へ移行する。
【０２２４】
そして、ノードＮ−５は、上述した方法によってノードＮ−１との間で無線リンクを確立する。そうすると、ノードＮ−１は、検出したデータをノードＮ−５へ送信し、ノードＮ−５は、ノードＮ−１からデータを受信する。
【０２２５】
その後、ノードＮ−５は、受信したデータをシンクＳ側に配置されたノードへ送信する場合、上述した端末装置１０と同じ方法によってウェイクアップ信号ＷＫＥを生成し、その生成したウェイクアップ信号ＷＫＥをブロードキャストする。
【０２２６】
ノードＮ−５の周囲に存在するノードは、ノードＮ−５からウェイクアップ信号ＷＫＥを受信する。そして、ノードＮ−１２が図９に示すフローチャートに従ってウェイクアップする。
【０２２７】
そして、ノードＮ−１２は、上述した方法によって送信元のノードＮ−５と無線リンクを確立する。そうすると、ノードＮ−５は、データをノードＮ−１２へ送信し、ノードＮ−１２は、ノードＮ−５からデータを受信する。
【０２２８】
その後、ノードＮ−１２は、受信したデータをシンクＳへ直接送信し、シンクＳは、ノードＮ−１２からデータを受信する。
【０２２９】
これによって、ノードＮ−１が検出したデータは、ノードＮ−５，Ｎ−１２を介してシンクＳへ送信される。
【０２３０】
このように、無線通信システム１００を応用すれば、送信元のノードまたはノードＮ−５から最も遠い位置に存在するノードＮ−５，Ｎ−１２がウェイクアップし、ノードＮ−１が検出したデータを中継するので、中継回数が最も少ない経路を用いてデータをシンクＳへ送信できる。
【０２３１】
また、ノードＮ−１〜Ｎ−１６の各々が図１０の（ｃ）に示す関係を用いて起動確率ＺＲＩを決定する場合、送信元のノードまたはデータを中継するノードから一定の距離に存在するノードが順次ウェイクアップし、ノードＮ−１が検出したデータを中継する。
【０２３２】
従って、各種の方法によって起動確率ＺＲＩを決定することによって、ノードＮ−１が検出したデータを各種の経路を介してシンクＳへ送信できる。
【０２３３】
［応用例２］
応用例１においては、受信信号強度のみに基づいて起動確率ＺＲＩを決定したが、応用例２においては、各ノードＮ−１〜Ｎ−１６は、受信信号強度およびメトリック値に基づいて起動確率ＺＲＩを決定する。なお、応用例２においても、ノードＮ−１〜Ｎ−１６の各々は、図１０の（ｄ）に示す関係に従って起動確率ＺＲＩを決定するものとする。
【０２３４】
このメトリック値は、各ノードＮ−１〜Ｎ−１６がシンクＳに近い度合を示すものである。そして、メトリック値は、シンクＳに近いほど大きい値からなる。
【０２３５】
従って、センサーネットワーク２００においては、ノードＮ−１〜Ｎ−１６は、シンクＳとの距離に応じて、シンクＳとの距離が短いほど、大きいメトリック値を有する。
【０２３６】
ノードＮ−１〜Ｎ−１６の各々は、一定周期（例えば、１日）で起動状態へ移行し、自己が保持するメトリック値を周囲のノードと交換する。そして、ノードＮ−１〜Ｎ−１６の各々は、自己の通信範囲内における周囲のノードのメトリック値を取得し、周囲のノードのメトリック値の最大値と自己のメトリック値とを用いて、メトリック値によって算出された確率Ａを求める。例えば、自己のメトリック値が２０であり、周辺のノードのメトリック値の最大値が４０である場合、ノードＮ−１〜Ｎ−１６の各々は、確率Ａを２０／４０＝０．５と算出する。つまり、ノードＮ−１〜Ｎ−１６の各々は、自己のメトリック値が大きいほど、確率値が大きくなるように確率Ａを決定する。
【０２３７】
受信信号強度に基づいて決定した確率をＢとすると、ノードＮ−１〜Ｎ−１６の各々は、確率Ａ，Ｂを次式に代入して起動確率ＺＲＩを算出する。
【０２３８】
【数５】
2014155057.tif 000007
【０２３９】
式（５）において、αは、０＜α＜１を満たす実数である。
【０２４０】
このように、ノードＮ−１〜Ｎ−１６の各々は、メトリック値に基づいて決定された確率Ａと、受信信号強度に基づいて決定された確率Ｂとの重み付け平均によって起動確率ＺＲＩを算出する。
【０２４１】
式（５）によって起動確率ＺＲＩを決定した場合、送信元からの距離が遠く、かつ、シンクＳに近いノードほど、起動確率ＺＲＩ（最終的に起動確率Ｚ）が大きくなり、ウェイクアップする可能性が高くなる。
【０２４２】
領域ＲＥＧ内に存在するノードＮ−１〜Ｎ−３，Ｎ−５，Ｎ−６は、ノードＮ−１からのウェイクアップ信号ＷＫＥを受信する。そして、ノードＮ−１〜Ｎ−３，Ｎ−５，Ｎ−６のいずれかは、上述した無線基地局１〜ｎと同じように図９に示すフローチャートに従ってウェイクアップする。
【０２４３】
ノードＮ−１〜Ｎ−３，Ｎ−５，Ｎ−６の各々は、図１０の（ｄ）に示す関係に従って起動確率ＺＲＩを決定するので、ノードＮ−１から最も遠い位置に存在し、かつ、シンクＳに最も近いノードＮ−５における起動確率ＺＲＩ（結果的に起動確率Ｚ）が最も大きくなり、ノードＮ−５がスリープ状態から起動状態へ移行する。
【０２４４】
そして、ノードＮ−５は、上述した方法によってノードＮ−１との間で無線リンクを確立する。そうすると、ノードＮ−１は、検出したデータをノードＮ−５へ送信し、ノードＮ−５は、ノードＮ−１からデータを受信する。
【０２４５】
その後、ノードＮ−５は、受信したデータをシンクＳ側に配置されたノードへ送信する場合、上述した端末装置１０と同じ方法によってウェイクアップ信号ＷＫＥを生成し、その生成したウェイクアップ信号ＷＫＥをブロードキャストする。
【０２４６】
ノードＮ−５の周囲に存在するノードは、ノードＮ−５からウェイクアップ信号ＷＫＥを受信する。そして、ノードＮ−１３が図９に示すフローチャートに従ってウェイクアップする。
【０２４７】
そして、ノードＮ−１３は、上述した方法によって送信元のノードＮ−５と無線リンクを確立する。そうすると、ノードＮ−５は、データをノードＮ−１３へ送信し、ノードＮ−１３は、ノードＮ−５からデータを受信する。
【０２４８】
その後、ノードＮ−１３は、受信したデータをシンクＳへ直接送信し、シンクＳは、ノードＮ−１３からデータを受信する。
【０２４９】
これによって、ノードＮ−１が検出したデータは、ノードＮ−５，Ｎ−１３を介してシンクＳへ送信される。
【０２５０】
このように、無線通信システム１００を応用すれば、送信元のノードまたはノードＮ−５から最も遠い位置に存在し、かつ、シンクＳに最も近いノードＮ−５，Ｎ−１３がウェイクアップし、ノードＮ−１が検出したデータを中継するので、中継回数が最も少なく、かつ、最短距離の経路を用いてデータをシンクＳへ送信できる。
【０２５１】
応用例１においては、送信元のノードから最も遠い位置のノードがデータを中継するので、送信元のノードＮ−１からシンクＳへ向かう方向に存在するノードがデータを中継するとは限らない。
【０２５２】
しかし、応用例２においては、送信元のノードから最も遠く、かつ、シンクＳに最も近いノードがデータを中継するので、送信元のノードＮ−１からシンクＳへ向かう方向に存在するノードがデータを中継する可能性が高い。従って、中継回数が最も少なく、かつ、最短距離の経路を用いてデータをシンクＳへ送信できる。
【０２５３】
応用例２におけるその他の説明は、応用例１における説明と同じである。
【０２５４】
なお、無線通信システム１００をアドホック無線ネットワークを構成する複数の無線装置に適用してもよい。この場合、各無線装置は、端末装置１０の機能と各無線基地局１〜ｎの機能とを併せ持つ。そして、送信元の無線装置は、ウェイクアップ信号ＷＫＥを生成してブロードキャストし、送信元の無線装置の周囲に存在する無線装置は、ウェイクアップ信号ＷＫＥを受信して図９に示すフローチャートに従ってスリープ状態から起動状態へ移行し、送信元の無線装置と無線リンクを確立して無線通信を行う。
【０２５５】
上記においては、無線基地局１〜ｎの各々は、周期的に起動状態へ移行し、自己の周囲に存在する他の無線基地局との間でログ情報ＬＯＧを交換すると説明したが、この発明の実施の形態においては、各無線基地局１〜ｎは、好ましくは、このログ情報ＬＯＧの交換を行わない。
【０２５６】
この場合、各無線基地局１〜ｎは、一定期間Ｔｒｅｎｅｗ内における有効ウェイクアップ回数ＥＷ、無効ウェイクアップ回数ＩＷおよび有効ウェイクアップ確率ＰＥＷをログテーブルＴＢＬＬＯＧに格納する。つまり、各無線基地局１〜ｎは、自己における有効ウェイクアップ回数ＥＷ、無効ウェイクアップ回数ＩＷおよび有効ウェイクアップ確率ＰＥＷのみをログテーブルＴＢＬＬＯＧに格納する。
【０２５７】
ログ情報ＬＯＧの交換を行わない場合も、スリープ状態にある無線基地局の動作は、図９に示すフローチャートに従って実行される。この場合、ステップＳ１２において、各無線基地局１〜ｎは、自己のログ情報ＬＯＧのみが格納されたログテーブルＴＢＬＬＯＧから一定期間Ｔｒｅｎｅｗ内における有効ウェイクアップ確率ＰＥＷを読み出し、その読み出した有効ウェイクアップ確率ＰＥＷの平均値Ｐａｖｒを算出する。
【０２５８】
このように、ログ情報ＬＯＧの交換を行わない場合、ログ情報ＬＯＧの交換を行う場合よりも、複数の無線基地局が同時にウェイクアップする可能性を低減できる。
【０２５９】
また、ログ情報ＬＯＧの交換を行わない場合、無線基地局１〜ｎは、周期的な起動状態への移行によるログ情報ＬＯＧの交換、またはビーコンフレームＢｅａｃｏｎ等を用いた周囲の無線基地局との情報のやり取りを行う必要がない。一方、無線基地局の密度を用いてウェイクアップさせる方式では、複数の無線基地局が相互に情報交換を行う必要がある。従って、ログ情報ＬＯＧの交換を行わないことによって、各無線基地局１〜ｎにおける消費電力を削減できる。
【０２６０】
上述したように、図９に示すフローチャートに従ってスリープ状態から起動状態へ移行する機能は、無線基地局のみならず、センサーネットワーク２００におけるノードまたはアドホック無線ネットワークにおける無線装置に適用可能である。従って、この発明の実施の形態においては、図９に示すフローチャートに従ってスリープ状態から起動状態へ移行する機能は、一般的には、無線装置に備えられている。
【０２６１】
その結果、この発明の実施の形態による無線装置は、スリープ状態にある無線装置を起動させるためのウェイクアップ信号を送信元の無線装置から受信する受信手段と、受信手段がウェイクアップ信号を受信したときの受信信号強度を検出する検出手段と、当該無線装置がスリープ状態から起動状態へ移行した回数のうち、当該無線装置がスリープ状態から起動状態へ移行し、かつ当該無線装置が送信元の無線装置と無線リンクを確立した回数である有効ウェイクアップ回数の割合を示す有効ウェイクアップ確率の当該無線装置における平均値または当該無線装置と当該無線装置の周囲に存在する他の無線装置とにおける有効ウェイクアップ確率の平均値、および当該無線装置がスリープ状態を維持した回数である維持回数に基づいて決定された第１の起動確率と、受信信号強度に基づいて決定された第２の起動確率とを重み付け平均して最終起動確率を決定する決定手段と、受信手段によって受信されたウェイクアップ信号が当該無線装置をスリープ状態から起動状態へ移行させることを示すか否かを判定する判定手段と、判定手段によってウェイクアップ信号が当該無線装置をスリープ状態から起動状態へ移行させることを示すと判定されると、最終起動確率で起動信号を生成する起動手段と、起動手段によって生成された起動信号に応じてスリープ状態から起動状態へ移行する通信手段とを備え、決定手段は、有効ウェイクアップ確率の平均値が第１のしきい値以下であるとき、確率値が小さくなるように第１の起動確率を決定し、維持回数が第２のしきい値以上であるとき、大きくなるように第１の起動確率を決定すればよい。
【０２６２】
第１の起動確率が有効ウェイクアップ確率の平均値または維持回数が満たす条件によって増加または減少すれば、複数の無線装置において最終起動確率が同じになる可能性が低くなり、無駄なウェイクアップを抑制でき、受信信号強度に基づいて第２の起動確率を決定すれば、所望の位置に存在する無線装置をウェイクアップさせることができるからである。
【０２６３】
この発明の実施の形態においては、起動確率ＺＥＷは、「第１の起動確率」を構成し、起動確率ＺＲＩは、「第２の起動確率」を構成し、起動確率Ｚは、「最終起動確率」を構成する。
【０２６４】
また、この発明の実施の形態においては、受信信号強度ＲＳＳＩ＿ＷＫＥを検出するウェイクアップ信号受信器１３１は、「検出手段」を構成する。
【０２６５】
更に、この発明の実施の形態においては、起動確率ＺＲＩ，ＺＥＷを決定または更新するとともに、その決定または更新した起動確率ＺＲＩ，ＺＥＷを用いて起動確率Ｚを決定する制御手段１３３１は、「決定手段」を構成する。
【０２６６】
更に、この発明の実施の形態においては、ウェイクアップ判定器１３２は、「判定手段」を構成する。
【０２６７】
更に、この発明の実施の形態においては、乱数ｒが起動確率Ｚ以下であるか否かを判定し、乱数ｒが起動確率Ｚ以下であると判定したとき起動信号ＤＲＶを生成する制御手段１３３１は、「起動手段」を構成する。
【０２６８】
更に、この発明の実施の形態においては、メイン装置１４は、「通信手段」を構成する。
【０２６９】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０２７０】
この発明は、端末装置、それと無線通信を行う無線基地局およびこれらを備える無線通信システムに適用される。
【符号の説明】
【０２７１】
１〜ｎ  無線基地局、１０  端末装置、１００  無線通信システム、１１，１２，２１  アンテナ、１３  ウェイクアップ装置、１４  メイン装置、１５  電源、２２，１４１  無線通信モジュール、２３，１４３  ホストシステム、１３１  ウェイクアップ信号受信器、１３２  ウェイクアップ判定器、１３３  信号生成器、１４２  有線通信モジュール、２３１  ウェイクアップ信号生成器、１３３１  制御手段、１３３２  記憶手段。
【図１】
2014155057.tif 000008
【図２】
2014155057.tif 000009
【図３】
2014155057.tif 000010
【図４】
2014155057.tif 000011
【図５】
2014155057.tif 000012
【図６】
2014155057.tif 000013
【図７】
2014155057.tif 000014
【図８】
2014155057.tif 000015
【図９】
2014155057.tif 000016
【図１０】
2014155057.tif 000017
【図１１】
2014155057.tif 000018
【図１２】
2014155057.tif 000019
【図１３】
2014155057.tif 000020